(57)【要約】【課題】  本発明の課題は、床から浮かして設置される大便器に座った際に、便器の撓みが少なく、設置後の床の敷き設が容易な大便器の設置構造を提供することである。【解決手段】  床から浮かして設置される大便器の設置構造であって、前記大便器を支持する架台と、前記架台と前記大便器の下方に位置し前記架台を立設する取付けプレートとを備え、前記取付けプレートの下面には前記取付けプレートの高さを変えられる高さ調整手段を備えたことを特徴とする大便器の設置構造が提供できる。これにより座った場合に撓みが少なく、床板の設置も容易になる。【選択図】  図１
2014070431.tif 000002
【特許請求の範囲】
【請求項１】
床から浮かして設置される大便器の設置構造であって、
前記大便器を支持する架台と、前記架台と前記大便器の下方に位置し前記架台を立設する取付けプレートとを備え、
前記取付けプレートの下面には前記取付けプレートの高さを変えられる高さ調整手段を備えたことを特徴とする大便器の設置構造。
【請求項２】
前記高さ調整手段が前記取付けプレートの前後下面に設けられ外周がネジ状の柱材であることを特徴とする請求項１または請求項２に記載の大便器の設置構造。
【請求項３】
前記柱材の頭部には前記柱材を回転可能とする回転部が設けられ、前記取付けプレートの前記柱材の上方に空孔が形成され、前記空孔を通して前記回転部を回転させることで前記取付けプレートの高さを調整することを特徴とする請求項３に記載の大便器の設置構造。
【請求項４】
前記取付けプレートの上面が、前記高さ調整手段により前記取付けプレートの側方に設置される前記床の下地材の上面と面一になるように高さ調整されることを特徴とする請求項１に記載の大便器の設置構造。
【請求項５】
前記取付けプレートが前記床を支える根太より低い位置に橋渡しされた受け材の上に前記高さ調整手段を介して設置されることを特徴とする請求項１から請求項４のいずれかに記載の大便器の設置構造。
【請求項６】
前記取付けプレートが建屋の基礎上に固定された支持フレーム上に前記高さ調整手段を介して設置されることを特徴とする請求項１から請求項４のいずれかに記載の大便器の設置構造。
【請求項７】
前記取付けプレートが建屋の基礎上に前記高さ調整手段を介して設置されることを特徴とする請求項１から請求項４のいずれかに記載の大便器の設置構造。
【請求項８】
前記取付けプレートが前記床上に前記高さ調整手段を介して設置されることを特徴とする請求項１から請求項４のいずれかに記載の大便器の設置構造。
【発明の詳細な説明】
【技術分野】
【０００１】
本発明は、床から浮かして設置される洋風大便器の設置構造に係り、特に座った際に撓みが少なく、床から施工の際に床の仕上げが容易な壁掛け式洋風大便器の設置構造に関する発明である。 
【背景技術】
【０００２】
従来、大便器を固定する架台をトイレ床面の一部をなすベースの板に取り付けてトイレ室内に取り付けることが開示されている。（例えば、特許文献１参照）これによりトイレ床面や壁面の基礎をなす躯体の影響を受けずに便器を設置できることが記載されている。
【０００３】
また、便器などを床から浮かせて設置するに際して、衛生設備取付け用フレームを根太に対して床を挟まずに直接フレームを取り付けることが開示されている。（例えば、特許文献２参照）。 これにより、施工コストを安価に抑えることが可能であると共に、フレームを根太に正確に配置できることが記載されている。
このように、床から浮かして大便器を設置する設置構造の開示が多く見られた。
【先行技術文献】
【特許文献】
【０００４】
【特許文献１】特開２００８−２４０３８０号公報
【特許文献２】特開２００７−３０９０５１号公報
【発明の概要】
【発明が解決しようとする課題】
【０００５】
トイレ床面の一部を取付プレートで構成した場合において、既存のトイレ室の床下根太に直接固定した場合に、既存のトイレ室の床下地材と取付プレートの厚みの違いによって、床下地材上面と取付プレート上面に段差が発生することがあり、別の部材等で段差を埋める必要があり、施工が煩雑になってしまう。
【０００６】
また、トイレ室床材の厚みによっては、便器下部と床仕上げ面の空間寸法が変わってしまったり、便器の床面からの設置高さが一定でないため、便器の架台への固定高さを調整する必要があった。それに伴い洗浄水のタンクなどの他の部材についても便器固定位置に合わせて設置する必要があり、改良の余地があった。
【０００７】
本発明は、上記問題を解決するためになされたもので、本発明の課題は、床から浮かせる便器を設置するに際して、高さ調整が容易で、また、便器に座った際に便器の撓みが少なく、設置後の床仕上げが容易な大便器の設置構造を提供することにある。
【課題を解決するための手段】
【０００８】
上記目的を達成するために請求項１記載の発明によれば、床から浮かして設置される大便器の設置構造であって、前記大便器を支持する架台と、前記架台と前記大便器の下方に位置し前記架台を立設する取付プレートとを備え、前記取付プレートの下面には前記取付プレートの高さを変えられる高さ調整手段を備えたことを特徴とする大便器の設置構造が提供できる。これにより大便器を設置する際に高さ調整が容易になり、座った場合に便器の撓みが少なくなる。
【０００９】
本発明の好ましい態様として、前記高さ調整手段が前記取付プレートの前後下面に設けられ外周がネジ状の柱材であることを特徴とする大便器の設置構造が提供できる。これにより、取付プレートの高さ調整が容易となり、座った場合に撓みが少なくなる。
【００１０】
本発明の好ましい態様として、前記柱材の頭部には前記柱材を回転可能とする回転部が設けられ、前記取付プレートの前記柱材の上方に空孔が形成され、前記空孔を通して前記回転部を回転させることで前記取付プレートの高さを調整することを特徴とする大便器の設置構造が提供できる。これにより、取付プレートの高さ調整が容易となる。
【００１１】
本発明の好ましい態様として、前記取付プレートの上面が、前記高さ調整手段により前記取付プレートの側方に設置される前記床の下地材の上面と面一になるように高さ調整されることを特徴とする大便器の設置構造が提供できる。これにより、床仕上げが容易となる。
【００１２】
本発明の好ましい態様として、前記取付けプレートが前記床を支える根太より低い位置に橋渡しされた受け材の上に前記高さ調整手段を介して設置されることを特徴とする大便器の設置構造が提供できる。これにより、既存の根太の有無に依存せずに、容易に設置できるようになる。
【００１３】
本発明の好ましい態様として、前記取付けプレートが建屋の基礎上に固定された支持フレーム上に前記高さ調整手段を介して設置されることを特徴とする大便器の設置構造が提供できる。これにより、大便器の水平出しや床仕上げが容易となる。
【００１４】
本発明の好ましい態様として、前記取付けプレートが建屋の基礎上に前記高さ調整手段を介して設置されることを特徴とする大便器の設置構造が提供できる。これにより、大便器の設置や床仕上げが容易となる。
【００１５】
本発明の好ましい態様として、前記取付けプレートが前記床上に前記高さ調整手段を介して設置されることを特徴とする大便器の設置構造が提供できる。これにより、取付プレートが、床の下地材の上に設置され、取付プレートの周囲の段差を追加の下地材で埋めた際に、高さ調整手段により追加下地材の上面と面一になるように高さ調整できるので床仕上げが容易となる。
【発明の効果】
【００１６】
本発明によれば、これにより座った場合に便器先端の撓みが少なく、床板の設置も容易になるという効果がある。
【図面の簡単な説明】
【００１７】
【図１】本発明の実施態様示す模式斜視図である。
【図２】本発明の実施態様示す模式で側面図ある。
【図３】本発明の実施態様示す矢視Ａ図である。
【図４】本発明の実施態様示す矢視Ｂ図である。
【図５】本発明の実施態様示す部分断面図である。
【図６】本発明の第二の実施態様示す模式斜視図である。
【図７】本発明の第三の実施態様示す模式斜視図である。
【図８】本発明の第四の実施態様示す模式斜視図である。
【発明を実施するための形態】
【００１８】
以下、図面を参照しつつ、本発明の実施形態について説明する。
図１から図５は、本発明の実施の形態に係るトイレユニットを例示する模式図である。
図１は住宅のトイレ室にトイレユニットを設置し、床下地材、床仕上げ材を敷き設する前の状態を示している。住宅のトイレ室の床部分の躯体では、大引き１４や際根太１３、根太１５により構成されている。際根太１３は大引き１４に強固に固定され、根太１５は上面が大引き１４の上面と面一になるように際根太１３にまたがって固定される。
【００１９】
図２は図１の模式側面図を示している。大便器１は、後端側を取り付ネジ２１を介して架台２に床から浮かして取付けられている。架台２は取付プレート３に立設して固定される。取付プレート３は、便器の重心より前方に延出させている。こうすることで、取付プレートの支持部への荷重を減少することができ、そのため躯体の強度の影響を少なくすることができる。また便器への荷重を架台を取り付けたプレートの強度で保持することが出来るため、プレートの強度を確保することで撓み量を抑制することが出来る。
【００２０】
取付プレート３はトイレ室躯体の床下の根太１５より低い位置に設けられた受け材５に柱材４を介して設置される。受け材５は、既存躯体の大引き１４などの強固な部材に固定された際根太１３に、大便器１の前後に橋渡しされた横材５２と横材５２にまたがって固定された支持材５１により構成される。受け材５は横材５２と支持材５１を井桁状にすることで、より安定する。尚、支持材５１を設けずに２本の横材５２に柱材４を固定してもよい。
【００２１】
このように、取付プレート３自体を既存の床下の根太を直接利用しない構成にすることで、既存の床下根太の有無や位置などとは関係なく、また既存の根太の強度に依存しないため、あらかじめ設定した強度を確保しながら大便器一式を設置することが可能となる。
【００２２】
取付プレート３の厚みは、隣り合う床下地材１１より薄いものとしている。こうすることで、取付プレート３は床下地材１１や既存の根太１５を利用することなく、撓みが少なく施工が容易な設置構造となる。
【００２３】
また、柱材４は、外周をネジ状として、取付プレート３の下面の大便器１の手前側および架台２の後側の左右の合計４本とした。便器への荷重によって便器を固定している架台に発生する荷重と回転モーメントを架台を取り付けた取付プレート３の前後で支持するためである。このようにすることで、高さ調整が容易となり、大便器に座った際に、便器の撓みが少ない大便器一式を設置することが可能となる。
【００２４】
図３は図２の柱材４の部分をＡ−Ａ視した図であり、図４は図３の柱材４の部分をＢ−Ｂ視した図である。図３、図４に示すように、取付プレート３に設けた柱材４を調整することにより、取付プレート３の高さを調整することができる。柱材４の外周がネジ状となっていることで、柱材４を回転させることで、取付プレート３上面を床下地材１１の上面の高さに合わせて設置することができる。そのため、床下地材１１から表側に取付プレート３が突出したり、床面からの便器設置高さを躯体の構造に依存せずに、設定高さに設置可能となる。
【００２５】
具体的には、図５に示すように、取付プレート３の柱材４の上方に空孔３１（穴）を形成し、この空孔３１から柱材４の上部に形成した回転部４１である溝にドライバー等の先を挿しこみ回転させ、取付プレート３の高さを調整することが可能になっている。これにより取付プレート周囲のトイレ床下地材を敷き設した後にプレートの上面から高さ調整を行えるため、高さ寸法を微調整しながら床下地材を敷設する必要がなく、床下地材の仕上がりに合わせて高さを調整可能となる。尚、回転部４１は一本の溝としているが、十字状の溝や、四角や六角の突起としてもよい。
【００２６】
また、取付プレート３に設けた空孔３１からプレートの高さ調整後に接着剤などを塗布することで調整機構を固定することができ、設置後に調整機構の緩みなどによってプレート高さが変化してしまうことを防止できる。
【００２７】
これらの取付プレート３設置作業後にこの空孔３１をあらかじめ塞ぐことができるようにしておくことで取付プレート３を平面状にすることができるため、床仕上げがやわらかい部材であっても、トイレ使用時に穴部の空孔３１がへこむなどの不具合が起こらない。
【００２８】
このようにして、取付プレート３を設置後に別途準備した部材を段差を埋めるために設置する必要がなく、床仕上げの施工が容易となる。
【００２９】
また既存床下地材の上面に取付プレート３の上面を面一に設置するため、便器の架台への取付高さを調整することなく、便器下方の床との空間を狙いの寸法に維持することが出来る。
【００３０】
図６は本発明にかかる第二の実施形態を説明する図である。取付プレート３から下方へ伸びた４本の柱材４を、固定用柱材７にて建屋の基礎やスラブ２０に固定された支持フレーム８に設置した状態を示す。固定用柱材７支持フレーム８を調整することで床下の基礎の不陸など接地面が平坦ではない場合にも便器１を水平に設置が可能である。
【００３１】
また、それぞれ長さを調整することができるように取付プレート３に取り付けられた柱材４により、取付プレート３が床下地材から便器設置高さを躯体に依存せずに決められた高さに設置可能となる。そのため、床材（図示せず）から取付プレート３が突出せずに設置可能となる。
【００３２】
図７は本発明にかかる第三の実施形態を説明する図である。柱材４の下端は直接建屋の基礎上に固定される。取付プレート３の空孔３１から柱材４を回転させ取付プレート３の高さを調整できる。そのため、床材（図示せず）から取付プレート３が突出せずに設置可能となる。
【００３３】
図８は本発明にかかる第四の実施形態を説明する図である。柱材４の下端は直接前記床下地材上に固定される。取付プレート３の空孔３１から柱材４を回転させ取付プレート３の高さを調整できる。そのため、取付プレート３の周囲を埋める追加の下地材(図示せず)から取付プレート３が突出せずに設置可能となる。
【００３４】
本発明によれば、取付けプレートの下面に記取付けプレートの高さを変えられる高さ調整手段を備えたことで、高さ調整が容易な大便器の設置構造が提供できる。また、床から浮かせて設置される大便器に座った際に、便器の撓みが少なく、設置後の床の敷設が容易な大便器の設置構造を提供できる。
【符号の説明】
【００３５】
１…大便器
２…架台、２１…取り付ネジ
３…取付プレート、３１…空孔
４…柱材、４１…回転部
５…受け材、５１…支持材、５２…横材
７…固定用柱材
８…支持フレーム（受け材）
９…塞ぎ材
１１…床下地材
１２…床仕上材
１３…際根太
１４…大引き・土台
１５…根太
２０…土台・スラブ・建屋の基礎
【図１】
2014070431.tif 000003
【図２】
2014070431.tif 000004
【図３】
2014070431.tif 000005
【図４】
2014070431.tif 000006
【図５】
2014070431.tif 000007
【図６】
2014070431.tif 000008
【図７】
2014070431.tif 000009
【図８】
2014070431.tif 000010